(57)【要約】【課題】再生装置において、記録媒体を管理する際にユーザにとって使い勝手が良くし、かつ、製造コストを抑制する。【解決手段】ＤＶＤプレーヤは、ＴＶ受像機と接続され、メモリと、光ディスクドライブと、制御用マイコンとを備える。メモリには、コンテンツが記録されたＤＶＤディスクの再生日時や、再生したタイトル名や、再生状況や、コンテンツのジャンル情報や、ＤＶＤディスクの保管場所や、再生回数を含むディスク管理情報が記憶される。制御用マイコンは、再生出力部と、管理情報記録部と、管理リスト生成部とを有する。管理情報記録部は、再生出力部による再生日時等の情報をディスク管理情報に記録する。管理リスト生成部は、ディスク管理情報の内容に基づいて、管理リストを生成する。生成された管理リスト５０には、再生日時５１、タイトル名５２、最後まで再生（再生状況を示す）５３、保管場所５４、ジャンル５５、再生回数５６が表示される。【選択図】図５
2011060371.tif 000002
【特許請求の範囲】
【請求項１】
映像や各種メッセージを表示可能な表示装置に接続され、
記録媒体に記録されたコンテンツを再生可能な再生手段と、
前記表示装置に対して、前記再生手段によって再生されたコンテンツの映像や各種メッセージを出力する映像出力手段と、
ユーザによって操作され、各種動作指示を行うための操作手段と、
装置各部を制御する制御手段とを備える再生装置において、
前記再生手段によって再生されたコンテンツの再生日時と、前記コンテンツが記録された記録媒体の識別名と、該コンテンツの再生状況と、該コンテンツのジャンル情報と、該コンテンツが記録された記録媒体の保管場所と、該コンテンツの再生回数とを含む管理情報を記録する管理情報記録手段と、
前記管理情報記録手段によって記録された前記管理情報を用いて、リスト形式の管理リストを生成する管理リスト生成手段とをさらに備え、
前記制御手段は、前記管理リスト生成手段を用いて、前記管理情報記録手段に記録された前記管理情報に基づいて前記管理リストを生成した後、前記映像出力手段を用いて、前記管理リスト生成手段によって生成された前記管理リストを前記表示装置に出力することを特徴とする再生装置。
【請求項２】
前記管理情報記録手段に記録された前記管理情報内の各項目をソート可能なデータソート手段をさらに備え、
前記管理リスト生成手段は、前記データソート手段を用いて、前記管理情報内における前記コンテンツの再生回数又は前記コンテンツのジャンル情報に基づいてソートされた後の前記管理情報を用いて、前記リスト形式の管理リストを生成することを特徴とする請求項１に記載の再生装置。
【発明の詳細な説明】
【技術分野】
【０００１】
本発明は、コンテンツが記録された記録媒体に関する管理リストを生成可能な、映像や音声等のコンテンツの再生装置に関する。
【背景技術】
【０００２】
従来から、ユーザは、例えばＤＶＤプレーヤやＢＤ（ブルーレイ・ディスク）を用いて再生した、ディスク内のコンテンツの再生日時や、再生状況等の情報を管理したい場合、ＰＣ用のデータベースソフト等を用いて、そのディスクのＡＳＩＮコードやＩＳＢＮコード等を整理して管理リストのデータを作成して管理していた。しかしながら、この種の管理方法では、作成した管理リストをＰＣ上でしか表示できないので、ユーザは管理リストを見て再生状況等の内容を確認した後にＤＶＤ等のディスクを再生したい場合に、ＰＣとＤＶＤ等のプレーヤの両方の機器を用いる必要があるため、操作が煩雑となりユーザにとって使い勝手が悪いという問題がある。
【０００３】
これに対して、特許文献１には、ＤＶＤディスクに付されたＲＦタグに記録されているメタデータを順次読み取り、読み取ったメタデータと検索パターンとを照合して記録メディアを検索して管理する記録メディア管理装置が開示されている。この種の記録メディア管理装置では、ＰＣ等の機器を用いることなく、ＤＶＤディスクの管理リストを生成することができる。しかしながら、この記録メディア管理装置を用いた管理方法では、ＤＶＤディスクにＲＦタグを付する必要があるため、製造コストを抑制できない。
【０００４】
また、特許文献２には、端末装置、ＢＤプレーヤ、及びサーバ装置から構成され、レンタル時に端末装置が利用者のメモリカードにレンタル情報を書き込み、返却時にメモリカードからコンテンツの再生を示す利用履歴情報を読み出し、読み出した利用履歴情報を利用情報として内部に記憶しておくレンタルシステムが開示されている。しかしながら、この種のレンタルシステムでは、ディスクを再生するＢＤプレーヤに加えて、さらに利用履歴情報を読み出す端末装置が必要であるため、製造コストを抑制できない。
【０００５】
ところで、特許文献３には、各ユーザに対して管理リスト情報を割り当て、発行された固有のユーザＩＤとＤＶＤディスクの識別情報とを記録し、それをＳＤメモリカード等のリムーバブルメディアに記録させるディスク記録再生装置が開示されている。しかしながら、このディスク記録再生装置を用いた管理方法は、ユーザが所有するＤＶＤディスクの管理を行うものではないので上記問題を解決できない。
【先行技術文献】
【特許文献】
【０００６】
【特許文献１】特開２００７−８７４４９号公報
【特許文献２】特開２００７−５２９０５２号公報
【特許文献３】特開２００８−３０６５３１号公報
【発明の概要】
【発明が解決しようとする課題】
【０００７】
本発明は、上述した問題点を解決するためになされたものであり、記録媒体を管理する際にユーザにとって使い勝手が良いと共に、製造コストを抑制できる再生装置を提供することを目的とする。
【課題を解決するための手段】
【０００８】
上記目的を達成するために請求項１の発明は、映像や各種メッセージを表示可能な表示装置に接続され、記録媒体に記録されたコンテンツを再生可能な再生手段と、前記表示装置に対して、前記再生手段によって再生されたコンテンツの映像や各種メッセージを出力する映像出力手段と、ユーザによって操作され、各種動作指示を行うための操作手段と、装置各部を制御する制御手段とを備える再生装置において、前記再生手段によって再生されたコンテンツの再生日時と、前記コンテンツが記録された記録媒体の識別名と、該コンテンツの再生状況と、該コンテンツのジャンル情報と、該コンテンツが記録された記録媒体の保管場所と、該コンテンツの再生回数とを含む管理情報を記録する管理情報記録手段と、前記管理情報記録手段によって記録された前記管理情報を用いて、リスト形式の管理リストを生成する管理リスト生成手段とをさらに備え、前記制御手段は、前記管理リスト生成手段を用いて、前記管理情報記録手段に記録された前記管理情報に基づいて前記管理リストを生成した後、前記映像出力手段を用いて、前記管理リスト生成手段によって生成された前記管理リストを前記表示装置に出力するものである。
【０００９】
請求項２に記載の発明は、請求項１に記載の再生装置において、前記管理情報記録手段に記録された前記管理情報内の各項目をソート可能なデータソート手段をさらに備え、前記管理リスト生成手段は、前記データソート手段を用いて、前記管理情報内における前記コンテンツの再生回数又は前記コンテンツのジャンル情報に基づいてソートされた後の前記管理情報を用いて、前記リスト形式の管理リストを生成するものである。
【発明の効果】
【００１０】
請求項１の発明によれば、管理情報記録手段に記録された管理情報に基づいて管理リストを生成した後、管理リストを表示装置に出力するので、従来と異なりＰＣ等の管理リストを生成するための特別な装置の必要性や記録媒体にＲＦタグ等を付する必要等がなくなり、製造コストを抑制することができる。また、記録媒体の保管場所等の情報を含む管理リストを表示装置に出力可能であるため、ユーザは管理リストから記録媒体の保管場所を確認することができるので、使い勝手がよい。
【００１１】
請求項２の発明によれば、管理情報内におけるコンテンツの再生回数又はコンテンツのジャンル情報に基づいてソートされた後の管理情報を用いて、リスト形式の管理リストを生成する。そのため、視聴頻度の多いコンテンツやジャンルを管理リストに表示することができるので、容易にユーザの嗜好を知ることができ、ユーザにとって使い勝手がよい。
【図面の簡単な説明】
【００１２】
【図１】本発明の一実施形態に係るＤＶＤプレーヤと、このＤＶＤプレーヤに接続されるテレビジョン受像機とを示す斜視図。
【図２】上記ＤＶＤプレーヤの内部構成を示すブロック図。
【図３】上記ＤＶＤプレーヤを操作するためのリモコン装置を示す上面図。
【図４】上記テレビジョン受像機の内部構成を示すブロック図。
【図５】上記ＤＶＤプレーヤにより生成される管理リストの一例を示す説明図。
【図６】上記ＤＶＤプレーヤにより生成される管理リストの別の一例を示す説明図。
【図７】上記ＤＶＤプレーヤにより生成される管理リスト画面の別の一例を示す説明図。
【発明を実施するための形態】
【００１３】
以下、本発明の一実施形態に係るＤＶＤプレーヤ（再生装置）について、図１乃至図４を参照して説明する。図１は、ＤＶＤプレーヤ１と、このＤＶＤプレーヤ１にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３を介して接続されたテレビジョン（以下、ＴＶという）受像機（表示装置）２との外観を示す。図２は、ＤＶＤプレーヤ１の内部構成を示し、図３は、ＤＶＤプレーヤ１を操作するためのリモコン装置（操作手段）４の上面を示し、図４は、ＴＶ受像機２の内部構成を示す。
【００１４】
ＤＶＤプレーヤ１は、ＤＶＤディスクｄ（図２参照）に記録されたＴＶ番組等のコンテンツを再生することができる再生専用装置であり、再生したコンテンツの映像信号や音声信号はＨＤＭＩケーブル３を介してＴＶ受像機２に出力される。ＴＶ受像機２は、ＨＤＭＩケーブル３を介して受信したコンテンツや各種メッセージをディスプレイ２１に表示する。リモコン装置４は、ユーザにより操作され、ＤＶＤプレーヤ１に対して所定の指示操作を行うためのものである。
【００１５】
図２に示すように、ＤＶＤプレーヤ１は、リモコン装置４から送信されたリモコン信号を受信するリモコン信号受信部１１と、筐体外部に露出するように設けられた端子部１２と、各種情報が記憶されるメモリ（管理情報記録手段）１３とを備える。また、ＤＶＤプレーヤ１は、ＤＶＤディスクｄが装着される光ディスクドライブ（再生手段）１４と、装置各部の制御を行う制御用マイコン（制御手段）１５とをさらに備える。
【００１６】
端子部１２には、ＴＶ受像機２と接続されたＨＤＭＩケーブル３の一端が接続される。メモリ１３は、制御用マイコン１５を動作させるためのプログラム１３ａと、ＤＶＤディスク（記録媒体）ｄのディスク管理情報（管理情報）１３ｂとを記憶している。
【００１７】
ディスク管理情報１３ｂは、ＤＶＤディスクｄ内のコンテンツを再生した再生日時や、再生したコンテンツのタイトル名（識別名）や、コンテンツの再生状況や、コンテンツのジャンル情報や、コンテンツが記録されたＤＶＤディスクｄの保管場所や、コンテンツの再生回数を含むテーブルである。
【００１８】
光ディスクドライブ１４は、コンテンツが記録されたＤＶＤディスクｄが内部に装着され、ＤＶＤディスクｄからのコンテンツの読み出し処理、所謂再生処理を行う。
【００１９】
制御用マイコン１５は、再生出力部（再生手段、映像出力手段）１５ａと、管理情報記録部（管理情報記録手段）１５ｂと、リスト形式の管理リストを生成する管理リスト生成部（管理リスト生成手段）１５ｃと、データソート部（データソート手段）１５ｄとを有し、ユーザによるリモコン装置４の操作に基づく動作情報に基づいて自装置を動作させる。
【００２０】
再生出力部１５ａは、光ディスクドライブ１４によってＤＶＤディスクｄから読み出されたコンテンツの再生を行い、再生されたコンテンツの映像信号及び音声信号をＨＤＭＩケーブル３を介してＴＶ受像機２に出力する処理を行う。また、再生出力部１５ａは、管理リスト生成部１５ｃによって生成された管理リストの映像信号を、ＨＤＭＩケーブル３を介してＴＶ受像機２に出力する処理も行う。
【００２１】
管理情報記録部１５ｂは、再生出力部１５ａによって再生されたコンテンツの再生日時と、再生されたコンテンツのタイトル名と、コンテンツの再生状況と、コンテンツのジャンル情報と、コンテンツが記録されたＤＶＤディスクｄの保管場所と、コンテンツの再生回数とを含む管理情報をメモリ１３のディスク管理情報１３ｂに記録する。
【００２２】
管理情報記録部１５ｂは、コンテンツの再生を停止したときに、上記再生日時等の情報をディスク管理情報１３ｂに記録する。また、管理情報記録部１５ｂは、ユーザがリモコン装置４を操作することによって、例えば「本棚」「ＤＶＤ棚」「ＴＶの近く」等の中から選択した場所を保管場所としてディスク管理情報１３ｂに記録する。この保管場所については、ユーザがリモコン装置４を用いた操作により文字入力を行って、入力した保管場所をディスク管理情報１３ｂに記録してもよい。
【００２３】
管理リスト生成部１５ｃは、管理情報記録部１５ｂによって記録されたディスク管理情報１３ｂの内容に基づいて、リスト形式の管理リストを生成する。生成された管理リストは、再生出力部１５ａによってＴＶ受像機２に出力され、ＴＶ受像機２のディスプレイ２１に表示される。
【００２４】
データソート部１５ｄは、管理情報記録部１５ｂによってメモリ１３に記録されたディスク管理情報１３ｂ内の任意の項目をソートする。管理リスト生成部１５ｃは、データソート部１５ｄによってソートされた後のディスク管理情報に基づいて管理リストを生成可能である。
【００２５】
図３に示すように、リモコン装置４は、「０」乃至「９」の１０個の数字に対応する「０」〜「９」までの数字キー４１ａ〜４１ｊと、入力した文字や数字を消去するクリアキー４２と、上下左右の各方向に操作可能な十字キー４３（４３ａ〜４３ｄの総称）と、各種入力を確定するための決定キー４４とを有する。また、リモコン装置４は、スピーカ２２から出力する音量値の調節を行うための音量調節キー４５（４５ａ、４５ｂの総称）と、ＤＶＤプレーヤ１に対して操作信号を送信するための送信部４０と、ＤＶＤディスクｄのコンテンツの再生を指示するための再生ボタン４６ａと、再生の停止を指示するための停止ボタン４６ｂと、メニュー表示を指示するためのメニュー表示ボタン４７とをさらに有する。ユーザが、例えばメニュー表示ボタン４７を操作して、「管理リストの表示」を選択すると、ディスク管理情報１３ｂに基づく管理リストがＴＶ受像機２のディスプレイ２１に表示される。
【００２６】
図４に示すように、ＴＶ受像機２は、ＴＶ番組等のコンテンツの映像を表示するディスプレイ２１と、ＴＶ番組等のコンテンツの音声を出力するスピーカ２２と、放送局から放送されるＴＶ放送信号に基づくＴＶ番組を受信するチューナ２３とを備える。また、ＴＶ受像機２は、ＴＶ受像機の筐体外部に露出するように設けられた端子部２４と、各種情報が記憶されるメモリ２５と、ＴＶ受像機２の各部を制御するための制御用マイコン２６とをさらに備える。
【００２７】
端子部２４には、ＤＶＤプレーヤ１と接続されたＨＤＭＩケーブル３の一端が接続される。メモリ２５には、制御用マイコン２６を動作させるためのプログラム２５ａが記憶されている。
【００２８】
制御用マイコン２６は、映像出力部２６ａと、音声出力部２６ｂとを有する。映像出力部２６ａは、チューナ２３によって受信されたＴＶ番組や、ＨＤＭＩケーブル３を介してＤＶＤプレーヤ１から送信されたＴＶ番組等のコンテンツの映像や各種メッセージや管理リストをディスプレイ２１に出力して表示する。音声出力部２６ｂは、チューナ２３によって受信されたＴＶ番組や、ＨＤＭＩケーブル３を介してＤＶＤプレーヤ１から送信されたＴＶ番組等のコンテンツの音声をスピーカ２２に出力する。
【００２９】
次に、管理リスト生成部１５ｃによって生成される管理リストの一例について、図５乃至図７を参照して説明する。図５乃至図７の管理リスト５０にはそれぞれ、ディスク管理情報１３ｂに基づく、再生日時５１、タイトル名５２、最後まで再生されたか否かという再生状況（以下、「最後まで再生」と略す）５３、保管場所５４、ジャンル５５、再生回数５６が表示されている。図５に示す管理リスト５０は、データソート部１５ｄによるソートを行う前の状態を示し、すなわち、ディスク管理情報１３ｂに記憶された順番（再生日時が古い順）に各テーブルを表示している。
【００３０】
図６に示す管理リスト５０は、図５に示す管理リストの内容を「再生回数」に基づいてソートした後の管理リスト５０である。具体的には、ＤＶＤプレーヤ１の管理リスト生成部１５ｃが、データソート部１５ｄを用いて、ディスク管理情報１３ｂ内におけるコンテンツの再生回数に基づいてソートされた後のディスク管理情報１３ｂを用いて生成した管理リスト５０である。
【００３１】
図７に示す管理リスト５０は、図５に示す管理リストの内容を「ジャンル」に基づいてソートした後の管理リスト５０である。具体的には、ＤＶＤプレーヤ１の管理リスト生成部１５ｃが、データソート部１５ｄを用いて、ディスク管理情報１３ｂ内におけるコンテンツのジャンル情報に基づいてソートした後のディスク管理情報１３ｂを用いて生成した管理リスト５０である。
【００３２】
上述したように、本実施形態に係るＤＶＤプレーヤ１によれば、管理リスト生成部１５ｃがディスク管理情報１３ｂに基づいて管理リストを生成した後、再生出力部１５ａが生成された管理リストをＴＶ受像機２に出力するので、従来と異なり、ＰＣ等の管理リストを生成するための特別な装置の必要性や記録媒体にＲＦタグ等を付する必要性がなくなり、製造コストを抑制することができる。また、ＤＶＤディスクｄの保管場所等の情報を含む管理リストをＴＶ受像機２に出力可能であるため、ユーザは管理リストからＤＶＤディスクｄの保管場所を確認することができるので、使い勝手がよい。また、ユーザは、管理リストから所有しているＤＶＤディスクｄを容易に知ることができるので、すでに所有しているＤＶＤディスクを誤って購入してしまうことを防ぐことができる。
【００３３】
また、ＤＶＤプレーヤ１によれば、管理リスト生成部１５ｃは、ディスク管理情報１３ｂ内におけるコンテンツの再生回数又はコンテンツのジャンル情報に基づいてソートされた後のディスク管理情報１３ｂを用いて、リスト形式の管理リストを生成する。そのため、視聴頻度の多いコンテンツやジャンルを管理リストに表示することができるので、容易にユーザの嗜好を知ることができ、ユーザにとって使い勝手がよい。
【００３４】
なお、本発明は、上記実施形態の構成に限られず、発明の趣旨を変更しない範囲で種々の変形が可能である。例えば、上記の実施形態において、請求項における再生装置がＤＶＤプレーヤ１である例を示したが、本発明をブルーレイディスクの再生装置に適用してもよい。また、請求項における記録媒体がＤＶＤディスクｄである例を示したが、記録媒体がブルーレイディスクであってもよい。
【００３５】
また、ＤＶＤプレーヤ１内のメモリ１３にディスク管理情報１３ｂを記憶する例を示したが、これに限られず、ディスク管理情報をＵＳＢメモリ等の外部記録媒体に記録してもよい。また、管理リストに表示される再生日時等の項目は、ユーザが非表示／表示を任意に選択できるものであってもよい。
【符号の説明】
【００３６】
１  ＤＶＤプレーヤ（再生装置）
２  ＴＶ受像機（表示装置）
４  リモコン装置（操作手段）
１３  メモリ（管理情報記録手段）
１３ｂ  ディスク管理情報（管理情報）
１４  光ディスクドライブ（再生手段）
１５  制御用マイコン（制御手段）
１５ａ  再生出力部（再生手段、映像出力手段）
１５ｂ  管理情報記録部（管理情報記録手段）
１５ｃ  管理リスト生成部（管理リスト生成手段）
１５ｄ  データソート部（データソート手段）
ｄ  ＤＶＤディスク（記録媒体）
【図１】
2011060371.tif 000003
【図２】
2011060371.tif 000004
【図３】
2011060371.tif 000005
【図４】
2011060371.tif 000006
【図５】
2011060371.tif 000007
【図６】
2011060371.tif 000008
【図７】
2011060371.tif 000009